(57)【要約】【課題】  迅速かつ確実に架空用開閉器から水抜き可能な架空用開閉器用穴あけ工具を提供する。【解決手段】  開閉器１０の底板１４を円環状に切削して水抜き用穴を開ける円筒形状のドリル３と、ドリル３の円筒内に設けられて、円環状に切削された前記底板１４の円環内断片を、押動により前記底板１４から切り離す押動子１とを備える。【選択図】  図６
2006346826.tif 000002
【特許請求の範囲】
【請求項１】
架空用開閉器の底板を円環状に切削して水抜き用穴を開ける円筒形状のドリルと、ドリルの円筒内に設けられて、円環状に切削された前記底板の円環内断片を、押動により前記底板から切り離す押動子とを備えたことを特徴とする架空用開閉器用穴あけ工具。
【請求項２】
押動子を架空用開閉器の底板に向け付勢するバネを有する請求項１記載の架空用開閉器用穴あけ工具。
【発明の詳細な説明】
【技術分野】
【０００１】
本発明は、内部に水が侵入した架空用開閉器の水抜きに使用する架空用開閉器用穴あけ工具に関する。
【背景技術】
【０００２】
配電用の架空用開閉器は、気圧差や錆等の影響により、その内部に水が侵入する場合がある。このため、架空用開閉器への水の浸入の有無を浸水測定器により定期的に測定し、水が浸入した架空用開閉器の取り替え工事を行っている。この場合、工事の振動により、架空用開閉器に侵入した水が飛び散り、開閉器内部の短絡、地絡が生じるおそれがある。このような短絡、地絡を回避するため、事前工事としてバイパスケーブルを施設して取り替え工事を行っている。
【０００３】
取り替え工事前に架空用開閉器に穴を開けて水を除去すれば、短絡、地絡の発生が回避されて、架空用開閉器の取り替え工事を行うことができるため、必らずしもバイパスケーブルを施設する必要はない。穴あけ工具については、原子炉容器内の炉心シュラウド支持板に遠隔操作で穴を開ける工具が知られている（特許文献１参照）。
【特許文献１】特開平１０−１２３２８６号公報
【発明の開示】
【発明が解決しようとする課題】
【０００４】
しかし特許文献１の穴あけ工具は、穴あけ作業中に発生した切りくずを多量の高圧水により、切りくずバスケットに流して原子炉容器への悪影響を防止するものであり、水が浸入した架空用開閉器に穴を開けて水を除去する穴あけ工具を示唆するものではない。
【０００５】
上述のようにバイパスケーブルを施設することなく、迅速かつ低コストで架空用開閉器の取り替え工事が可能であることが望まれており、そのためには、予め架空用開閉器に穴を開けて水を除去すればよい。本発明は、このような事情に鑑み、迅速、確実に架空用開閉器に穴を開けることができる穴あけ工具を提供することを目的とする。
【課題を解決するための手段】
【０００６】
本発明に係る架空用開閉器用穴あけ工具は、架空用開閉器の底板を円環状に切削して水抜き用穴を開ける円筒形状のドリルと、ドリルの円筒内に設けられて、円環状に切削された前記底板の円環内断片を、押動により前記底板から切り離す押動子とを備えたことを特徴とする。
【０００７】
この構成によれば、ドリルにより円環状に切削された架空用開閉器の底板の円環内断片は、押動子により押動されて前記底板から切り離された状態で、水抜き用穴が形成される。このため、円環内断片が架空用開閉器内の水圧により水抜き用穴を塞ぐことがなく、前記水抜き用穴が全開状態に維持される。その結果、架空用開閉器内部に侵入した水を水抜き穴を通してスムース、かつ確実に外部に除去することができる。
【０００８】
押動子を架空用開閉器の底板に向け付勢するバネを有するように構成すると、簡単な構成で押動子の押動切り離し動作を可能とすることができる。
【発明の効果】
【０００９】
本発明によれば、架空用開閉器の水抜きを、迅速、確実に行うことができる架空用開閉器用穴あけ工具を提供することができる。
【発明を実施するための最良の形態】
【００１０】
図１、図２は架空用開閉器用穴あけ工具１００の全体を概略的に示している。架空用開閉器用穴あけ工具１００は、架空用開閉器１０に本工具１００を取付けるための取付部材１３と、架空用開閉器１０の底板１４に水抜き穴を開けるための切削機構部１２と、この切削機構部１２を前記取付部材１３に支持させるためのボックス部２１とを有している。
【００１１】
取付部材１３は、図１〜図４に示すように、所定の間隔をあけて互いに平行に配置されて架空用開閉器１０の底板１４に沿って設けられた１対の支柱１６、１６を有する。１対の支柱１６、１６の一端には、架空用開閉器１０の一方の側板１５に接する押え板１９が取付けられ、他端には架空用開閉器１０の他方の側板１５Ａに所定の間隔をあけて対向する取付ネジ板１７が取付けられている。取付ネジ板１７にはネジ軸１８が螺合され、このネジ軸１８を締付けることにより、架空用開閉器１０の両側板１５、１５Ａが前記押え板１９とネジ軸１８との間に挟持されるようになっている。上記のような構成の取付部材１３によって本工具１００は、架空用開閉器１０に固定される。
【００１２】
１対の支柱１６、１６には、上方開放形状のボックス部２１が支柱１６、１６の軸方向に位置調整可能に取付られている。このボックス部２１の底部には、排水口２２が設けられている。
【００１３】
前記ボックス部２１には、モータ９、差動機構８、ドリル３を先端部に有する回転体７７等からなる切削機構部１２が支持されている。
【００１４】
前記回転体７７の先端部は、図５〜図８に示すように、円筒形状に形成され、その先端面および外周面に切刃２、５を有するドリル３を構成している。外周面に螺旋状に形成された切刃５、５間には、排水溝部６が形成されている。前記回転体７７の基端部の外周にはネジ２３が形成され、また基端部の軸心位置には、下方開放の六角穴７８が形成されている。
【００１５】
前記回転体７７の先端部における円筒内部４３の空間には、圧縮バネ７で付勢される押動子１が配置されている。押動子１はピン形状部１ａとスカート部１ｂとからなり、スカート部１ｂはガイド筒３９によって摺動可能に案内されている。前記ガイド筒３９は前記円筒内部４３に圧入固定され、前記押動子１のピン形状部１ａはガイド筒３９によって突出位置を規制されている。前記押動子１は、ドリル３によって円環状に切削された前記底板１４の円環内断片を、押動により前記底板１４から切り離す機能を有し、水抜き用穴からスムースに水が排出されるようにしている。
【００１６】
前記モータ９は、内部に減速装置を有し、その減縮部４１から突出する断面六角形状の出力軸７９は前記六角穴７８に挿入され、出力軸７９の回転が回転体７７の回転、ひいてはドリル３の回転となるようにしている。またモータ９の出力軸７９の回転は回転体７７（ドリル３）の前進動に変換されているが、そのために差動機構８が用いられている。この差動機構８は、前記モータ９の出力軸７９の回転をギヤ３２を介して、ギヤ３１に伝え、このギヤ３１と一体関係にあるギヤ３０を介してギヤ２８に伝え、このギヤ２８を備えたナット体２４の内周のネジ２６に前記回転体７７のネジ２３を螺合させて構成される。ナット体２４は軸方向位置が拘束されることによって、回転体７７（ドリル３）を前進動させることができる。
【００１７】
前記モータ９の出力軸７９の回転数をαとし、ギヤ３２の歯数をａ、ギヤ３１の歯数をｂ、ギヤ３０の歯数をｃ、ギヤ２８の歯数をｄ、ネジ２６、ネジ２３のピッチをｅとすると、
ドリル３（回転体７７）の回転数はαであり、ドリル３（回転体７７）の前進速度ｖは下記のとおりである。
【００１８】
ｖ＝α×ｅ｛１−（ａ／ｂ）×（ｃ/ｄ）｝
上記歯数ａ、ｂ、ｃ、ｄを選ぶことにより、ドリル３（回転体７７）の前進速度ｖを大幅に減速した適正なものとすることができる。
【００１９】
図１〜図４に示すようにボックス部２１の下面側には、略扁平円筒形状をした把持部材２０が取り付けられる。ドリル３を備えた回転体７７は、ボックス部２１の開口の底面に形成された貫通穴を通って、その先端が架空用開閉器１０の底板１４に対向するように挿入される。前記切削機構部１２の取付部４２は図２に示すように、その突出耳部４２ａが、前記ボックス部２１と前記把持部材２０との間に挟持されることによって、前記ボックス部２１に支持される。穴あけ工具１００は、切削機構部１２の動作を制御するためのリモコン４０を備える。
【００２０】
このように構成された穴あけ工具１００の動作を説明する。まず、リモコン４０を操作して切削機構部１２のモータ９を駆動すると、モータ９の出力軸７９（図６参照）の回転が、ドリル３の回転と矢印Ａの方向の前進動に変換され、ドリル３は架空用開閉器１０の底板１４を円環状に切削して水抜き用穴を開ける。そして、押動子１は圧縮バネ７の付勢力により突出動し、ドリル３により円環状に切削されて切り離された断片を突き飛ばして反転状態で横方向に移動させ、全開状態の水抜き用穴から除去する。
【００２１】
これにより水抜き用穴からドリル３の排出溝６を通って水が流れ出す。このときリモコン４０を操作してモータ９を逆方向に回転させ、ドリル３を下げて水抜き用穴から抜くと、架空用開閉器１０内の水が一気に外部に流れ出す。
【００２２】
本実施の形態では、圧縮バネ７の付勢力により押動子１をドリル３の先端面から突出動させる例を示したが、本発明はこれに限定されない。例えばソレノイド等の電気的手段により押動子１を突出動させてもよい。
【産業上の利用可能性】
【００２３】
本発明は、内部に水が侵入した架空用開閉器から水を排除するために使用する架空用開閉器用穴あけ工具に適用することができる。
【図面の簡単な説明】
【００２４】
【図１】本実施の形態に係る架空用開閉器用穴あけ工具の正面図である。
【図２】本実施の形態に係る架空用開閉器用穴あけ工具の正面部分断面図である。
【図３】本実施の形態に係る架空用開閉器用穴あけ工具の取付部材を上側から見た斜視図である。
【図４】本実施の形態に係る架空用開閉器用穴あけ工具の取付部材を下側から見た斜視図である。
【図５】本実施の形態に係る架空用開閉器用穴あけ工具の切削機構部を上側から見た斜視図である。
【図６】本実施の形態に係る架空用開閉器用穴あけ工具のドリル及び差動機構の一部断面斜視図である。
【図７】本実施の形態に係る架空用開閉器用穴あけ工具のドリル及び差動機構の模式的な正面断面図である。
【図８】(ａ)は本実施の形態に係る架空用開閉器用穴あけ工具のドリルの平面図であり、（ｂ）はその正面図である。
【符号の説明】
【００２５】
１  押動子
３  ドリル
７  圧縮バネ
１０  架空用開閉器
１４  底板
１００  穴あけ工具
【図１】
2006346826.tif 000003
【図２】
2006346826.tif 000004
【図３】
2006346826.tif 000005
【図４】
2006346826.tif 000006
【図５】
2006346826.tif 000007
【図６】
2006346826.tif 000008
【図７】
2006346826.tif 000009
【図８】
2006346826.tif 000010